(57)【要約】      （修正有）【課題】掃き掃除と押し引き清掃ができ清掃寿命の長い清掃具を提供する。【解決手段】長手方向の側縁１５の中央部に中央開口１６を有した筒状布体１１の全周面に払拭材１８を植設した払拭体１０と、筒状布体１１に内挿された長手状の板状の把持部２０と、人が開閉するクリップ部４０を下端に設けたハンドル５０とから構成され、把持部２０の長手方向の中央部付近に側辺に平行で且つ側辺の近傍に軸体２３を設けて、軸体２３を中央開口１６に露出するように配置し、クリップ部４０により中央開口１６に露出した軸体２３を取着してハンドル５０と把持部２０を連結して一体化し、軸体２３を軸心にして払拭体１０に内挿された把持部２０を板状に垂下させ、軸体２３を揺動軸として把持部２０を内挿した払拭体１０がハンドル５０に対して揺動自在になり、被清掃面を掃き掃除する。【選択図】図１
2018047021.tif 000002
【特許請求の範囲】
【請求項１】
揺動軸を有する板状の把持部で、払拭体に内装して使用され、前記揺動軸を軸心として揺動可能で被清掃面を掃き掃除できる把持部であり、前記把持部の長手方向の中央部においてその側片に略平行で且つ前記側片の近傍位置に連結された軸体を配置し、前記軸体が前記揺動軸となって前記板状の把持部を垂下させ、前記把持部が前記軸体を軸心として揺動可能であることを特徴とする掃き掃除型清掃具の把持部。
【請求項２】
前記把持部の長手方向の中央部に切欠部を形成し、前記切欠部に前記軸体を連結して配置した請求項１に記載の掃き掃除型清掃具の把持部。
【請求項３】
前記把持部は間隙を介して連結列車状に直列に連結された二個の長尺状の把持体から構成され、前記間隙が前記切欠部に相当し、前記二個の把持体は前記軸体により連結固定され、前記軸体が前記二個の把持体の長手方向の上側辺に平行且つ接近して配置されて前記二個の把持体が垂下され、当該軸体を前記揺動軸として前記二個の把持体を揺動させる請求項２に記載の掃き掃除型清掃具の把持部。
【請求項４】
前記二個の把持体は二本の軸体により連結固定され、前記二個の把持体の長手方向の上側辺に平行且つ接近して上側の軸体を配置し、且つ前記二個の把持体の長手方向の下側辺に平行且つ接近して下側の軸体を配置し、前記上側の軸体又は前記下側の軸体を前記揺動軸とすることができる請求項３に記載の掃き掃除型清掃具の把持部。
【請求項５】
揺動軸を有する長手状の板状の把持部を払拭体に内装し、前記揺動軸を軸心に揺動して被清掃面を掃き掃除できる払拭体であり、前記払拭体は長手状の筒状布体とその全周面に植設された払拭材から形成され、前記筒状布体の輪郭は長手方向の上側縁と下側縁及び幅方向の二つの端縁から形成され、前記上側縁又は前記下側縁の中央部に中央開口を有し、前記二つの端縁のうち一端縁は開放された端部開口となっており、他端縁は端部開口又は閉鎖された閉端部であり、前記板状の把持部を払拭体に内挿するには、前記把持部を前記端部開口から挿入し、前記揺動軸が前記中央開口に露出するように構成されることを特徴とする掃き掃除型清掃具の払拭体。
【請求項６】
前記払拭体の前記上側縁及び前記下側縁の夫々の中央部に中央開口を形成し、前記板状の把持部を払拭体に内挿したときに、前記揺動軸が前記上側縁又は前記下側縁のいずれかの中央開口に露出される請求項５に記載の掃き掃除型清掃具の払拭体。
【請求項７】
長手方向の側縁の中央部に中央開口を有した筒状布体の全周面に払拭材を植設した払拭体と、前記筒状布体に内挿された長手状の板状の把持部と、人が開閉するクリップ部を下端に設けたハンドルとから構成され、前記把持部の長手方向の中央部付近に側辺に平行で且つ前記側辺の近傍に軸体を設けて、前記軸体を前記中央開口に露出するように配置し、前記クリップ部により前記中央開口に露出した前記軸体を取着して前記ハンドルと前記把持部を連結して一体化し、前記軸体を軸心にして前記払拭体に内挿された前記把持部を板状に垂下させ、前記軸体を揺動軸として前記把持部を内挿した前記払拭体が前記ハンドルに対して揺動自在になり、被清掃面を掃き掃除できることを特徴とする掃き掃除型清掃具。
【請求項８】
前記把持部の長手方向の中央部に切欠部を形成し、前記切欠部に前記軸体を連結して配置した請求項７に記載の掃き掃除型清掃具。
【請求項９】
前記把持部は間隙を介して連結列車状に直列に連結された二個の長尺状の把持体から構成され、前記間隙が前記切欠部に相当し、前記二個の把持体は前記軸体により連結固定され、前記軸体が前記二個の把持体の長手方向の上側辺に平行且つ接近して配置されて前記二個の把持体が板状に垂下され、当該軸体を前記揺動軸として前記二個の把持体を揺動させる請求項８に記載の掃き掃除型清掃具。
【請求項１０】
前記二個の把持体は二本の軸体により連結固定され、前記二個の把持体の長手方向の上側辺に平行且つ接近して上側の軸体を配置し、且つ前記二個の把持体の長手方向の下側辺に平行且つ接近して下側の軸体を配置し、前記上側の軸体又は前記下側の軸体を前記揺動軸とすることができる請求項９に記載の掃き掃除型清掃具。
【請求項１１】
前記筒状布体の輪郭は長手方向の上側縁と下側縁及び幅方向の二つの端縁から形成され、前記上側縁又は前記下側縁の中央部に中央開口を有し、前記二つの端縁のうち一端縁は開放された端部開口となっており、他端縁は端部開口又は閉鎖された閉端部であり、前記板状の把持部を払拭体に内挿するには、前記把持部を前記端部開口から挿入し、前記揺動軸が前記中央開口に露出するように構成される請求項７〜１０のいずれかに記載の掃き掃除型清掃具。
【請求項１２】
前記払拭体の前記上側縁及び前記下側縁の夫々の中央部に中央開口を形成し、前記板状の把持部を払拭体に内挿したときに、前記揺動軸が前記上側縁又は前記下側縁のいずれかの中央開口に露出される請求項１１に記載の掃き掃除型清掃具。
【発明の詳細な説明】
【技術分野】
【０００１】
本発明は、床面等の被清掃面を清掃するため清掃具に関し、更に詳細には、被清掃面を押し引き清掃するだけでなく、掃き掃除しながら清掃できる掃き掃除型清掃具、その把持部及び払拭体に関する。
【背景技術】
【０００２】
本願発明が関連する従来技術として、第１に、実公昭６０−０００３６号公報（特許文献１）に記載された「モップ把持具」がある。本願の図１１は特許文献１におけるモップ把持具を示す。（１１Ａ）で、ハンドル１０２は、枠組１０４の中央に配置された水平軸１０５にアーム１０３をクリップ状に係合してモップ支持枠１１１に枢着されている。（１１Ｂ）のアーム１０３では、開口用突片１０９を水平突出させたときに弾性部材１０８が垂下し、押圧片１１０と湾曲部１１１で水平軸１０５を囲繞してロックし、ハンドル１０２を枢着していることが分かる。（１１Ｄ）で、基布１１８の下面にはパイル１１９が密植され、その上面の中央には窓１２０が開口され、水平軸１０５が露出している。モップ支持枠１１１はスリット状の開口部１２１から基布１１８の中に内挿される。
この状態で、アーム１０３が中央の水平軸１０５に係合するから、パイル１１９を被清掃面に対し押し引き清掃できるが、モップが水平軸１０５を軸心として多少揺動しても、箒のような掃き掃除感は無く、基布１１８の下面にしかパイル１１９が無いから、両面で清掃できず、直ぐに汚れてしまう。
【０００３】
第２に、実公昭６０−１６３５１号公報（特許文献２）に記載された「把持具」がある。本願の図１２は特許文献２における把持具２０１を示す。このモップ２１０では、基布２１２の下面にパイル２１１が密植され、その上面には袋部２１３が形成されている。「し」の字状の挿入片２０３を袋部２１３に挿入し、その端部にハンドル２０２を立設して、把持部２０１が完成する。
ハンドル２０２を押下すると弾力性があるから、箒のように掃き掃除ができるが、モップ２１０はハンドル２０２に対し全く揺動しないから、掃き掃除感において劣る。しかも、基布１１８の下面にしかパイル１１９が無いから、両面で清掃できず、直ぐに汚れてしまう弱点がある。
【０００４】
第３に、実公平０６−２５２５５号公報（特許文献３）に記載された「清掃用部材の保持具」がある。本願の図１３は特許文献３における保持具を示す。この保持具では、基布Ｍ２の下面に多数のパイルＭ１からなるモップ本体Ｍが形成され、握り柄３０１の根本付近には細くなった軸に多数の円盤状の差し込み片３０１ｅを多段状に積層している。従って、握り柄３０１が差し込み片３０１ｅの領域で撓み易くなり、ハンドル３０１に対しモップ本体Ｍを左右に振れば揺動することができ、揺動による掃き掃除が可能になる特徴がある。
しかし、モップ本体Ｍは基布Ｍ２の下面にしか存在しないから、多数のパイルＭ１が早期に汚れてしまい、清掃寿命が短い弱点がある。
【０００５】
第４に、実公平０６−３２０５１号公報（特許文献４）に記載された「モップ把持具」がある。本願の図１４は特許文献４におけるモップ把持具を示す。このモップ把持具では、把持具４０１の下面にのみモップを形成し、把持具４０１の上面には枢着部４０４を介して柄４０３が立設されている。特許文献４の特徴は、柄４０３の根元近傍に弾性変形部材４１２を設けている点である。この弾性変形部材４１２はベローズであり、二点鎖線のように左右に、柄４０３を揺動させることができ、揺動による掃き掃除が可能になる特徴がある。
しかし、特許文献３と同様に、モップは把持具４０１の下面にしか存在しないから、多数のパイルが早期に汚れてしまい、清掃寿命が短い弱点がある。
【０００６】
第５に、特許第５５８３４２６号公報（特許文献５）に記載された「払拭体、掃除具及び払拭体の製造方法」がある。本願の図１５      は特許文献５におけるモップ掃除具を示す。このモップ掃除具では、払拭体５０１の全周に開口部５０６を除いてパイル群５０３が植設されており、清掃寿命を長くできる利点を有し、他の特許文献１−４と異なっている。
しかし、ハンドル部５０５の下端にはジョイント部材５０９を介して左右に挿着軸５０４が開閉自在に突設されており、挿着軸５０４を閉じた状態で開口部５０６から挿入し、内挿後に開いて（１４Ａ）の状態にする。以上の構造から、払拭体５０１をハンドル部５０５に対し揺動できないことは明らかであり、掃き掃除することは困難である弱点がある。
【先行技術文献】
【特許文献】
【０００７】
【特許文献１】実公昭６０−０００３６号公報
【特許文献２】実公昭６０−１６３５１号公報
【特許文献３】実公平０６−２５２５５号公報
【特許文献４】実公平０６−３２０５１号公報
【特許文献５】特許第５５８３４２６号公報
【発明の概要】
【発明が解決しようとする課題】
【０００８】
前述したように、特許文献１では、把持部中央の水平軸１０５にアーム１０３を係合するから、把持部を被清掃面に押し付けて押し引き清掃できるが、モップが水平軸１０５を軸心として微小に揺動しても、箒のような掃き掃除感は全く無い。しかも、基布１１８の下面にしかパイル１１９が無いから、把持部の上面は清掃機能を有さず、下面が汚れてしまえば交換の必要性が生じ、清掃寿命が短い。
【０００９】
また、特許文献２では、「し」字状の挿入片２０３の弾力性はあっても、モップ２１０はハンドル２０２に対し全く揺動しないから、掃き掃除感がかなり劣る。しかも、袋状部２１３の下面にしかパイル２１１が無いから、両面清掃不能であり、下面が汚れてしまえばモップ交換が必要になり、清掃寿命が短い弱点がある。
【００１０】
更に、特許文献３では、ハンドル３０１の可撓性によりモップ本体Ｍを左右に揺動可能であり、掃き掃除が可能になる。しかし、モップ本体Ｍは基布Ｍ２の下面にしか存在しないから、パイルＭ１が早期に汚れてしまい、清掃寿命が短い。
【００１１】
同じく、特許文献４も、特許文献３と同様に、柄４０３の可撓性によりモップを左右に揺動可能であり、掃き掃除感はある。しかし、モップは把持具４０１の下面にしか存在しないから、清掃寿命が短い弱点は同様である。
【００１２】
特許文献５は、特許文献１−４と異なり、払拭体５０１の全周にパイル群５０３が植設されており、モップの上下面による清掃が可能であり、清掃寿命が長い特徴を有する。しかし、払拭体５０１をハンドル部５０５に対し揺動できないことは明らかであり、掃き掃除は全く不能である弱点を有する。
【００１３】
従って、本発明は、払拭体の全周面にパイルなどの払拭材を植設して、払拭体の全周面による清掃が可能でモップとしての清掃寿命を長期化でき、しかもハンドルの下方に払拭体を板状に垂下させて揺動可能にし、払拭体を揺動させながら掃き掃除することができる掃き掃除型清掃具を提供し、しかも従来モップと同様に押し引き清掃も可能であり、同時にその掃き掃除型清掃具を実現する把持部及び払拭体を提供する。
【課題を解決するための手段】
【００１４】
本発明は、上記課題を解決するために為されたものであり、本発明の第１の形態は、揺動軸を有する板状の把持部で、払拭体に内装して使用され、前記揺動軸を軸心として揺動可能で被清掃面を掃き掃除できる把持部であり、前記把持部の長手方向の中央部においてその側片に略平行で且つ前記側片の近傍位置に連結された軸体を配置し、前記軸体が前記揺動軸となって前記板状の把持部を垂下させ、前記把持部が前記軸体を軸心として揺動可能である掃き掃除型清掃具の把持部である。
【００１５】
本発明の第２の形態は、把持部の長手方向の中央部に切欠部を形成し、前記切欠部に前記軸体を連結して配置した掃き掃除型清掃具の把持部である。
【００１６】
本発明の第３の形態は、前記把持部は間隙を介して連結列車状に直列に連結された二個の長尺状の把持体から構成され、前記間隙が前記切欠部に相当し、前記二個の把持体は前記軸体により連結固定され、前記軸体が前記二個の把持体の長手方向の上側辺に平行且つ接近して配置されて前記二個の把持体が垂下され、当該軸体を前記揺動軸として前記二個の把持体を揺動させる掃き掃除型清掃具の把持部である。
【００１７】
本発明の第４の形態は、前記二個の把持体は二本の軸体により連結固定され、前記二個の把持体の長手方向の上側辺に平行且つ接近して上側の軸体を配置し、且つ前記二個の把持体の長手方向の下側辺に平行且つ接近して下側の軸体を配置し、前記上側の軸体又は前記下側の軸体を前記揺動軸とすることができる掃き掃除型清掃具の把持部である。
【００１８】
本発明の第５の形態は、揺動軸を有する長手状の板状の把持部を払拭体に内装し、前記揺動軸を軸心に揺動して被清掃面を掃き掃除できる払拭体であり、前記払拭体は長手状の筒状布体とその全周面に植設された払拭材から形成され、前記筒状布体の輪郭は長手方向の上側縁と下側縁及び幅方向の二つの端縁から形成され、前記上側縁又は前記下側縁の中央部に中央開口を有し、前記二つの端縁のうち一端縁は開放された端部開口となり、且つ他端縁は端部開口又は閉鎖された閉端部であり、前記板状の把持部を払拭体に内挿するには、前記把持部を前記端部開口から閉端部まで挿入し、前記揺動軸が前記中央開口に露出するように構成される掃き掃除型清掃具の払拭体である。
【００１９】
本発明の第６の形態は、前記払拭体の前記上側縁及び前記下側縁の夫々の中央部に中央開口を形成し、前記板状の把持部を払拭体に内挿したときに、前記揺動軸が前記上側縁又は前記下側縁のいずれかの中央開口に露出される掃き掃除型清掃具の払拭体である。
【００２０】
本発明の第７の形態は、長手方向の側縁の中央部に中央開口を有した筒状布体の全周面に払拭材を植設した払拭体と、前記筒状布体に内挿された長手状の把持部と、手指で開閉するクリップ部を下端に設けたハンドルとから構成され、前記把持部の長手方向の中央部付近に側辺に平行で且つ前記側辺の近傍に軸体を設けて、前記軸体を前記中央開口に露出するように配置し、前記クリップ部により前記中央開口に露出した前記軸体を取着して前記ハンドルと前記把持部を連結して一体化し、前記軸体を軸心にして前記払拭体に内挿された前記把持体を板状に垂下させ、前記軸体を揺動軸として前記把持体を内挿した前記払拭体が前記ハンドルに関して揺動自在になり、被清掃面を掃き掃除できる掃き掃除型清掃具である。
【００２１】
本発明の第８の形態は、前記把持部の長手方向の中央部に切欠部を形成し、前記切欠部に前記軸体を連結して配置した掃き掃除型清掃具である。
【００２２】
本発明の第９の形態は、前記把持部は間隙を介して連結列車状に直列に連結された二個の長尺状の把持体から構成され、前記間隙が前記切欠部に相当し、前記二個の把持体は前記軸体により連結固定され、前記軸体が前記二個の把持体の長手方向の上側辺に平行且つ接近して配置されて前記二個の把持体が板状に垂下され、当該軸体を前記揺動軸として前記二個の把持体を揺動させる掃き掃除型清掃具である。
【００２３】
本発明の第１０の形態は、前記二個の把持体は二本の軸体により連結固定され、前記二個の把持体の長手方向の上側辺に平行且つ接近して上側の軸体を配置し、且つ前記二個の把持体の長手方向の下側辺に平行且つ接近して下側の軸体を配置し、前記上側の軸体又は前記下側の軸体を前記揺動軸とすることができる掃き掃除型清掃具である。
【００２４】
本発明の第１１の形態は、前記筒状布体の輪郭は長手方向の上側縁と下側縁及び幅方向の二つの端縁から形成され、前記上側縁又は前記下側縁の中央部に中央開口を有し、前記二つの端縁のうち一端縁は開放された端部開口となっており、他端縁は端部開口又は閉鎖された閉端部であり、前記板状の把持部を払拭体に内挿するには、前記把持部を前記端部開口から挿入し、前記揺動軸が前記中央開口に露出するように構成される掃き掃除型清掃具である。
【００２５】
本発明の第１２の形態は、前記払拭体の前記上側縁及び前記下側縁の夫々の中央部に中央開口を形成し、前記板状の把持部を払拭体に内挿したときに、前記揺動軸が前記上側縁又は前記下側縁のいずれかの中央開口に露出される掃き掃除型清掃具である。
【発明の効果】
【００２６】
本発明の第１の形態によれば、揺動軸を有する板状の把持部で、払拭体に内装して使用され、前記揺動軸を軸心として揺動可能で被清掃面を掃き掃除できる把持部が提供される。本願に係る清掃具は把持部と払拭体とハンドルから構成されるが、本形態ではまず把持部について規定される。板状とは樹脂材や木材その他材料による正味の板でもよいが、線材を巻回したりして平面状に成形したものや、それらの混製品その他の形状でもよく、少なくとも平面や曲面等の板状に形成されるものは全て包含される。また、把持部が揺動軸を有しており、把持部が払拭体に内装されると、把持部を揺動軸の回りに揺動することができ、被清掃面に対し払拭体を正逆方向に揺動させて掃き掃除することができる。
前記把持部の長手方向の中央部においてその側片に略平行で且つ前記側片の近傍位置に連結された軸体を配置し、前記軸体が前記揺動軸となるように構成される。具体的には、第1に、軸体をコの字型に形成して、コの字型釘のように側辺に打ち込めば、軸体を側辺に平行に外設できる。軸体が把持部の幅より外方に突出する特徴があ。また、把持部を側辺から切り欠いて、その切欠部に棒材を打ち込めば、把持部の幅内で側辺の近傍に軸体を配置できる。更に、切欠部を全幅に対し切欠けば、把持部を左右に二分した二個の把持体になり、二個の把持体が間隙を介して左右に配置されることになる。この間隙も切欠部の一形態であり、二個の把持体を側辺に近傍位置に軸体で連結して、この軸体を揺動軸にすることができる。間隙を含んだ切欠部では、軸体が把持部の幅内に配置できるので、把持部を払拭体に内装しやすい利点がある。上記３例のいずれでも、把持部を払拭体に内装して、前記軸体を揺動軸とすれば払拭体を揺動させることが可能になる。
軸体は中実棒でも中空棒（パイプ）でもよく、円滑な揺動のためには丸棒や丸パイプが好適であるが、断面多角形や丸と多角形の混合でも構わない。そして、この軸体を取着する（摘まむ）と把持部が板状に垂下し、この垂下状態で把持部を前後に振ると把持部が軸体を軸心として前後に揺動し、この揺動によって被清掃面に対し掃き掃除が可能になり、大きな揺動幅の掃き掃除型清掃具の把持部を提供できる。
【００２７】
本発明の第２の形態によれば、把持部の長手方向の中央部に切欠部を形成し、前記切欠部に前記軸体を連結して配置した掃き掃除型清掃具の把持部である。本形態は、前述したように、軸体を切欠部の中に連結するから、軸体を把持部の幅内に配置でき、把持部を払拭体に内装するときに軸体が払拭体に引っかから無いから、内装が容易になる利点がある。切欠部が把持部の幅内の一部であれば、切欠部以外の連続部で把持部は左右に連続一体になっており、把持部の全体強度が高く、しかも切欠部では軸体で連結されるから、連続部と軸体により把持部の一体性が補強される利点がある。
【００２８】
本発明の第３の形態によれば、前記把持部は間隙を介して連結列車状に直列に連結された二個の長尺状の把持体から構成され、前記間隙が前記切欠部に相当し、前記二個の把持体は前記軸体により連結固定され、前記軸体が前記二個の把持体の長手方向の上側辺に平行且つ接近して配置されて前記二個の把持体が垂下され、当該軸体を前記揺動軸として前記二個の把持体を揺動させる掃き掃除型清掃具の把持部を提供できる。
本形態では、切欠部が把持部の全幅に対して切欠かれており、把持部が間隙を介して左右に二個の把持体に分割されている。間隙が切欠部であり、切欠部により分割された場合に相当する。前記二個の把持体は前記軸体により連結固定され、前記軸体が前記二個の把持体の長手方向の上側辺に平行且つ接近して配置される。このような場合には、前記二個の把持体を確実に一体化するため、二個の把持体は２本以上の軸体で連結され、１本目は上側辺近傍に連結され、２本目は下側辺近傍に連結されて一体化される。より安全には３本目以上を中間に配置してもよい。本形態では、少なくとも１本の軸体で連結して、この軸体を揺動軸とする場合である。本形態では、軸体が間隙内に配置されており、把持部を払拭体の内部に装入する際に、軸体が邪魔にはならない。
【００２９】
本発明の第４の形態によれば、前記二個の把持体は二本の軸体により連結固定され、前記二個の把持体の長手方向の上側辺に平行且つ接近して上側の軸体を配置し、且つ前記二個の把持体の長手方向の下側辺に平行且つ接近して下側の軸体を配置し、前記上側の軸体又は前記下側の軸体を前記揺動軸とすることができる掃き掃除型清掃具の把持部を提供できる。
本形態は、間隙を２本の軸体で連結固定し、上側の軸体は上側辺に平行且つ接近させ、下側の軸体は下側辺に平行且つ接近させるから、上側の軸体を揺動軸とすることもできるし、下側の軸体を揺動軸とすることもできる。左右２個の把持体を２本の軸体で連結するから、２個の把持体の一体化が強固になる。またいずれの軸体も揺動軸に使用できるから、把持部を払拭体に内装するときに、把持部の上下の向きを考慮する必要が無くなる点で、清掃具として組立性能が向上する利点がある。
【００３０】
本発明の第５の形態によれば、揺動軸を有する長手状の板状の把持部を払拭体に内装し、前記揺動軸を軸心に揺動して被清掃面を掃き掃除できる払拭体を提供できる。前述した第１形態〜第４形態は把持部であるから、本願発明の特定発明は把持部の発明である。他方、第５形態及び第６形態は払拭体の発明であるが、前記把持部の発明と清掃具の利用分野で同一であり、しかも揺動軸を軸心に揺動する掃き掃除型清掃具の払拭体であるから、解決課題が特定発明と同一であり、発明の単一性を満足している。
また、前記払拭体は長手状の筒状布体とその全周面に植設された払拭材から形成され、前記筒状布体の輪郭は長手方向の上側縁と下側縁及び幅方向の二つの端縁から形成され、前記上側縁又は前記下側縁の中央部に中央開口を有し、前記二つの端縁のうち一端縁は開放された端部開口となり、且つ他端縁は端部開口又は閉鎖された閉端部である払拭体を提供できる。即ち、本形態では、両端縁が端部開口の場合と、一端縁が端部開口で他端縁が閉端部の場合が含まれる。両端縁が端部開口の場合には、前記板状の把持部を払拭体のいずれの端部開口からでも内挿できる。また、一端縁が端部開口で他端縁が閉端部の場合には、前記把持部を前記端部開口から挿入して閉端部まで内装する。そして、前記揺動軸を前記中央開口に露出するように配置すれば、後述するハンドル下端のクリップ部で、前記上側縁又は下側縁から露出する前記揺動軸を簡単に取着でき、掃き掃除型清掃具を容易に構成できる払拭体を提供できる。
本形態では、中央開口が上側縁又は下側縁のいずれかの中央部に設けられるから、把持部の軸体が前記中央開口に対面するように把持部を内装する必要があるから、把持部と払拭体の相互の向き調整が重要である。
【００３１】
本発明の第６の形態によれば、前記払拭体の前記上側縁及び前記下側縁の夫々の中央部に中央開口を形成し、前記板状の把持部を払拭体に内挿したときに、前記揺動軸が前記上側縁又は前記下側縁のいずれかの中央開口に露出される掃き掃除型清掃具の払拭体を提供できる。
第６形態では上側縁と下側縁の両方に中央開口が設けられているから、把持部を払拭体に挿入するときに把持部の上下の向きを考量する必要が無い。即ち、把持部を端部開口から挿入すると、必ず軸体が上側縁又は下側縁いずれかの中央開口に露出させることができる。従って、把持部の向きを考量する必要が無いので取り扱いが極めて容易であり、クリップ部の軸体への取着が単純になる利点がある。
【００３２】
本発明の第７の形態によれば、把持部と、把持部を内挿する払拭体と、把持部に連結されたハンドルからなる掃き掃除型清掃具を提供できる。第１形態〜第４形態は把持部の特定発明で、第５形態〜第６形態は払拭体の発明であるのに対し、本形態を含めて第７形態〜第１２形態は掃き掃除型清掃具の発明である。これらの発明は清掃具の利用分野で同一であり、しかも揺動軸を軸心に揺動する掃き掃除型清掃具を実現するために、解決課題が特定発明と同一であるから、発明の単一性を満足している。
本形態の払拭体は、長手方向の側縁の中央部に中央開口を有した筒状布体を配置し、当該筒状布体の全周面に払拭材を植設して形成される。筒状布体を布帛で形成し払拭材をパイルや繊維片で構成してもよいし、筒状布体を不織布で形成し払拭材を繊維片・繊維糸で構成してもよいし、また筒状布体を紙布で形成し払拭材を紙繊維糸で構成してもよい等種々の形態がある。また、把持部は長手状且つ板状の把持部で、樹脂製・木製・金属製の正味の板でもよいし、ワイヤを巻回した面材でもよく、またそれらの混製品でもよく、前記筒状布体に内挿されて配置される。更に、ハンドルには下端に人が開閉するなクリップ部が設けられ、ハンドル自体はグリップとハンドル軸とハンドル受部から構成されてもよく、この場合にはハンドル受部の下端にクリップ部が連結される。
払拭体と把持部とハンドルを組み立てるには、前記把持部の長手方向の中央部付近に側辺に平行で且つ前記側辺の近傍に軸体を設けて、前記軸体を前記中央開口に露出するように配置し、次に前記クリップ部により前記中央開口に露出した前記軸体を取着して前記ハンドルと前記把持部を連結して一体化する。軸体の配置例として、第1に、軸体をコの字型に形成して、コの字型釘のように側辺に打ち込めば、軸体を側辺に平行に外設できる。軸体が把持部の幅より外方に突出する特徴がある。また、把持部を側辺から切り欠いて、その切欠部に棒材を打ち込めば、把持部の幅内で側辺の近傍に軸体を配置できる。更に、切欠部を全幅に対し切欠けば、把持部を左右に二分した二個の把持体になり、二個の把持体が間隙を介して左右に配置されることになる。この間隙も切欠部の一形態であり、二個の把持体を側辺に近傍位置に軸体で連結して、この軸体を揺動軸にすることができる。間隙を含んだ切欠部では、軸体が把持部の幅内に配置できるので、把持部を払拭体に内装しやすい利点がある。上記３例のいずれでも、把持部を払拭体に内装して、前記軸体を揺動軸とすれば払拭体を揺動させることが可能になる。
以上の結果、前記軸体を軸心にして前記払拭体に内挿された前記把持体が板状に垂下し、前記軸体を揺動軸として前記把持部を内挿した前記払拭体が前記ハンドルに対して前後に揺動自在になり、ハンドルを手で持って被清掃面を軽快に掃き掃除できる掃き掃除型清掃具を提供できる。掃き掃除できるから掃除の手動操作が容易になり、払拭体の前後両面が掃き掃除面として利用できるから、従来の片面利用と比較して払拭体の清掃寿命を長期化できる利点がある。また、ハンドルで払拭体を被清掃面に押し付ければ従来の押し引き清掃も可能になる。更に、清掃具の組立が極めて簡単である利点がる。
【００３３】
本発明の第８の形態によれば、前記把持部の長手方向の中央部に切欠部を形成し、前記切欠部に前記軸体を連結して配置した掃き掃除型清掃具である。
本形態は、前述したように、軸体を切欠部の中に連結するから、軸体を把持部の幅内に配置でき、把持部を払拭体に内装するときに軸体が払拭体に引っかから無いから、内装が容易になる利点がある。切欠部が把持部の幅内の一部であれば、切欠部以外の連続部で把持部は左右に連続一体になっており、把持部の全体強度が高く、しかも切欠部では軸体で連結されるから、連続部と軸体により把持部の一体性が補強される利点がある。
【００３４】
本発明の第９の形態によれば、前記把持部は間隙を介して連結列車状に直列に連結された二個の長尺状の把持体から構成され、前記間隙が前記切欠部に相当し、前記二個の把持体は前記軸体により連結固定され、前記軸体が前記二個の把持体の長手方向の上側辺に平行且つ接近して配置されて前記二個の把持体が板状に垂下され、当該軸体を前記揺動軸として前記二個の把持体を揺動させる掃き掃除型清掃具である。
本形態では、切欠部が把持部の全幅に対して切欠かれており、把持部が間隙を介して左右に二個の把持体に分割されている。間隙が切欠部であり、切欠部により分割された場合に相当する。前記二個の把持体は前記軸体により連結固定され、前記軸体が前記二個の把持体の長手方向の上側辺に平行且つ接近して配置される。このような場合には、前記二個の把持体を確実に一体化するため、二個の把持体は２本以上の軸体で連結され、１本目は上側辺近傍に連結され、２本目は下側辺近傍に連結されて一体化される。より安全には３本目以上を中間に配置してもよい。本形態では、少なくとも１本の軸体で連結して、この軸体を揺動軸とする場合である。本形態では、軸体が間隙内に配置されており、把持部を払拭体の内部に装入する際に、軸体が邪魔にはならない。
【００３５】
本発明の第１０の形態によれば、前記二個の把持体は二本の軸体により連結固定され、前記二個の把持体の長手方向の上側辺に平行且つ接近して上側の軸体を配置し、且つ前記二個の把持体の長手方向の下側辺に平行且つ接近して下側の軸体を配置し、前記上側の軸体又は前記下側の軸体を前記揺動軸とすることができる掃き掃除型清掃具である。
本形態は、間隙を２本の軸体で連結固定し、上側の軸体は上側辺に平行且つ接近させ、下側の軸体は下側辺に平行且つ接近させるから、上側の軸体を揺動軸とすることもできるし、下側の軸体を揺動軸とすることもできる。左右２個の把持体を２本の軸体で連結するから、２個の把持体の一体化が強固になる。またいずれの軸体も揺動軸に使用できるから、把持部を払拭体に内装するときに、把持部の上下の向きを考慮する必要が無くなる点で、清掃具として組立性能が向上する利点がある。
【００３６】
本発明の第１１の形態によれば、前記筒状布体の輪郭は長手方向の上側縁と下側縁及び幅方向の二つの端縁から形成され、前記上側縁又は前記下側縁の中央部に中央開口を有し、前記二つの端縁のうち一端縁は開放された端部開口となっており、他端縁は端部開口又は閉鎖された閉端部である掃き掃除型把持部を提供できる。即ち、本形態では、両端縁が端部開口の場合と、一端縁が端部開口で他端縁が閉端部の場合が含まれる。両端縁が端部開口の場合には、前記板状の把持部を払拭体のいずれの端部開口からでも内挿できる。また、一端縁が端部開口で他端縁が閉端部の場合には、前記把持部を前記端部開口から挿入して閉端部まで内装すればよい。
前記板状の把持部を払拭体に内挿するには、前記把持部を前記端部開口から挿入し、前記揺動軸が前記中央開口に露出するように構成される掃き掃除型清掃具を提供できる。前記揺動軸を前記中央開口に露出するように配置するだけで、後述するハンドル下端のクリップ部で、前記上側縁又は下側縁から露出する前記揺動軸を簡単に取着でき、掃き掃除型清掃具を容易に構成できる。
本形態では、中央開口が上側縁又は下側縁のいずれかの中央部に設けられるから、把持部の軸体が前記中央開口に対面するように把持部を内装する必要があるから、把持部と払拭体の相互の向き調整が重要である。
【００３７】
本発明の第１２の形態によれば、前記払拭体の前記上側縁及び前記下側縁の夫々の中央部に中央開口を形成し、前記板状の把持部を払拭体に内挿したときに、前記揺動軸が前記上側縁又は前記下側縁のいずれかの中央開口に露出される掃き掃除型清掃具を提供できる。
本形態では上側縁と下側縁の両方に中央開口が設けられているから、把持部を払拭体に挿入するときに把持部の上下の向きを考慮する必要が無い。即ち、把持部を端部開口から挿入すると、必ず軸体が上側縁又は下側縁いずれかの中央開口に露出させることができる。従って、把持部の向きを考量する必要が無いので取り扱いが極めて容易であり、クリップ部の軸体への取着が単純になる。
【図面の簡単な説明】
【００３８】
【図１】図１は、本発明に係る掃き掃除型清掃具１の完成状態の実施形態を説明する全体正面図である。
【図２】図２は、本発明に係る掃き掃除型清掃具１を把持部２０と払拭体１０とハンドル部３０に分解した全体分解正面図である。
【図３】図３は、本発明に係る掃き掃除型清掃具１において、把持部２０を払拭体１０に挿入した状態の分解正面図である。
【図４】図４は、本発明に係る掃き掃除型清掃具１において、ハンドル５０の下端のクリップ部４０を上側の軸体２３に取着する部分斜視図である。
【図５】図５は、本発明に係る掃き掃除型清掃具１において、クリップ部４０で上側の軸体２３を取着した状態の部分正面図である。
【図６】図６は、本発明に係る掃き掃除型清掃具１の部分断面側面図である。
【図７】図７は、本発明に係る掃き掃除型清掃具１を用いて被清掃面７０を掃き掃除する掃き掃除説明図である。
【図８】図８は、本発明に係る掃き掃除型清掃具１を用いて被清掃面７０をハンドル５０を傾斜させて押し引き清掃する押し引き説明図である。
【図９】図９は、本発明に係る掃き掃除型清掃具１を用いて被清掃面７０をハンドル５０を反対側に傾斜させて押し引き清掃する押し引き説明図である。
【図１０】図１０は、本発明に係る掃き掃除型清掃具１において、把持部２０及び払拭体１０の各種実施例を説明する把持部説明図である。
【図１１】図１１は、実公昭６０−０００３６号公報（特許文献１）の説明図である。
【図１２】図１２は、実公昭６０−１６３５１号公報（特許文献２）の説明図である。
【図１３】図１３は、実公平０６−２５２５５号公報（特許文献３）の説明図である。
【図１４】図１４は、実公平０６−３２０５１号公報（特許文献４）の説明図である。
【図１５】図１５は、特許第５５８３４２６号公報（特許文献５）の説明図である。
【発明を実施するための形態】
【００３９】
以下に、本発明に係る掃き掃除型清掃具、その把持部及び払拭体の実施形態を添付する図面に従って詳細に説明する。
【００４０】
図１は、本発明に係る掃き掃除型清掃具１の完成状態の実施形態を説明する全体正面図である。掃き掃除型清掃具１の全体構成としては、払拭体１０の中に把持部２０が内装（内挿）されており、ハンドル５０の先端のクリップ部４０が把持部２０の上側の軸体２３に取着されている。
ここで、払拭体１０は、内部に長手状の中空の袋部１２を有した筒状布体１１を本体とし、筒状布体１１の全周面には払拭材であるパイル１８が植設されている。また、払拭体１０の一端には開放された端部開口１３を有し、他端は閉鎖された閉端部１４となっている。払拭体１０の長手方向の上側縁１５の中央には中央開口１６が開放されており、下側縁１７は全長に亘って閉鎖されている。
【００４１】
把持部２０は左側の把持体２１と右側の把持体２２からなり、両把持体２１、２２は一定間隔を有した間隙を介して離間しており、しかも両把持体２１、２２の上側辺と下側辺に平行でそれらの近傍位置に２本の軸体２３、２４により平行に連結され、連結列車状に直列されている。
ハンドル部３０はハンドル５０とハンドル軸５１とグリップ５２が一直線状に構成され、回転軸３２によりハンドル部３０は矢印Ａ方向、即ち左右回動方向に回動できる。ここで、ハンドル５０はハンドル軸５１と連結されるハンドル受部であり、グリップ５２は人が把握する部分である。
ハンドル５０の下端にはクリップ部４０が連結され、前記中央開口１６を介して払拭体１０の内部に挿入され、クリップ摘み部４１で上側の軸体２３を摘み状に取着して、ハンドル部３０は把持部２０と一体化されている。
【００４２】
クリップ部４０を手で押圧すると、弾性力に抗してクリップ摘み部４１が開き、この開いた状態で上側の軸体２３を取着し、手を放すと弾性力によりクリップ摘み部４１が閉じて、クリップ摘み部４１は上側の軸体２３を取着する(摘まむ)。しかし、上側の軸体２３はクリップ摘み部４１の中で回動することができ、上側の軸体２３を軸心として把持部２０は払拭体１０と一体に矢印Ｂ方向、即ち前後回動方向に揺動することができる。ハンドル部３０を手で握って床面等の被清掃面を掃くと、払拭体１０で被覆された把持部２０は清掃方向に揺動し、被清掃面を掃き掃除することができる。
【００４３】
図２は、本発明に係る掃き掃除型清掃具１を把持部２０と払拭体１０とハンドル部３０に分解した全体分解正面図である。
把持部２０は、間隙２５を介して左側の把持体２１と右側の把持体２２を上下の軸体２３、２４で連結して構成される。上側の軸体２３は上側辺２１ａ、２２ａに平行で且つそれらに接近した近傍位置に連結されており、下側の軸体２４は下側辺２１ｂ、２２ｂに平行で且つそれらに接近した近傍位置で連結される。
払拭体１０は、中空の袋部１２を内蔵した筒状布体１１の全周面に払拭材であるパイル１８を植設して構成され、一端には開放された端部開口１３を有し、他端は閉鎖された閉端部１４となっている。上側縁１５の中央に中央開口１６を設け、下側縁１７は全長を閉鎖している。
ハンドル部３０では、ハンドル部５０が回動軸３２の回りに回動可能にクリップ部４０に連結されている。
【００４４】
図３は、本発明に係る掃き掃除型清掃具１において、把持部２０を払拭体１０に挿入した状態の分解正面図である。把持部２０を端部開口１３から袋部１２の中に内挿し、閉端部１４の近傍まで押込めば、間隙２５の中にある上側の軸体２３が払拭体１０の中央開口１６に露出する位置に配置される。クリップ摘み部４９を中央開口１６から内挿し、クリップ摘み部４９を開いて上側の軸体２３を摘み、クリップ摘み部４９を閉じて上側の軸体２３を取着する。その結果、ハンドル部３０が回動可能に把持部２０に一体化される。
【００４５】
図４は、本発明に係る掃き掃除型清掃具１において、ハンドル５０の下端のクリップ部４０を上側の軸体２３に取着する部分斜視図である。クリップ部４０はクリップ本体４１と連結片４２からなり、後壁４３ｂから突設された連結片４２が回動軸３２によりハンドル５０に軸着されて、ハンドル５０はクリップ部４０に対し回動自在に構成されている。
クリップ本体４１は底壁（図示せず）と左右の側壁４３ａ、４３ａと後壁４３ｂが一体形成されてなり、側壁４３ａ、４３ａの前端には短円弧壁４５、４５が中間間隙４５ａを介して左右に並接されている。また、蓋板部は、指で押される押板４６と連結版４７ａと長円弧壁４７から一体形成され、押板４６は捩りバネ（図示せず）により常時上方へと押し上げられている。この状態では、長円弧壁４７は短円弧壁４５、４５と合わさって筒状穴４８を形成する。
押板４６を親指６１で押下すると、連結版４７ａは前記中間間隙４５ａを上昇して長円弧壁４７は短円弧壁４５、４５から離れ、クリップ摘み部４９は大きく開く。この開いた状態で上側の軸体２３を摘まみ、親指６１の押板４６への押圧を緩めると、図示しない前記捩りバネにより押板４６は上方へ移動し、長円弧壁４７と短円弧壁４５、４５の筒状穴４８により上側の軸体２３は摘ままれてロックされる。この段階でクリップ部４０と把持部２０は連結が完了する。
以上のように、クリップ部４０と軸体２３との着脱はワンタッチで行える。
【００４６】
図５は、本発明に係る掃き掃除型清掃具１において、クリップ部４０で上側の軸体２３を取着した状態の部分正面図である。クリップ摘み部４９が上側の軸体２３を狭六に摘まんでおり、２枚の把持体２１、２２からなる把持部２０が軸体２３を揺動軸として矢印Ｂ方向に前後回動自在に揺動することができる。また、クリップ部４０に対しハンドル５０（ハンドル部３０）は回動軸３２により矢印Ａ方向に左右回動自在に構成される。
勿論、把持部２０を反転した状態に配置すると、下側の軸体２４をクリップ摘み部４９で取着することもでき、その場合の動作は上述と全く同様である。従って、上側の軸体２３と下側の軸体２４を有する把持部２０では、把持部２０を払拭体１０に挿入する際に、上下方向を気に掛けずに装着でき、内装が簡単に行える利点がある。
【００４７】
図６は、本発明に係る掃き掃除型清掃具１の部分断面側面図である。（６Ａ）及び（６Ｂ）に図示される掃き掃除型清掃具１の相違点は、把持体２１が筒状布体１１の中に（６Ａ）ではゆったり収納されるのに対し、（６Ｂ）では隙間なく収納されている点だけであり、その他の符号は全て共通しているから、以下では共通事項について説明する。
ハンドル部３０のハンドル５０の先端部は、２枚の支持片５３、５３に対向状に分割され、その間に後壁４３ｂに突設された回動軸３２が挿入されて、回動軸３２によりハンドル５０は回動自在に軸支される。
クリップ部４０の筐体の中では、捩りバネ４４が押板４６に押接した状態で配置され、長円弧壁４７と２個の短円弧壁４５、４５で形成される筒状穴４８の中に上側の軸体２３が内装されている。この筒状穴４８の中で、軸体２３は軸回転自在（回動自在）に内挿されている。従って、払拭体１０の中にある把持体２１は矢印Ｂ方向に揺動自在である。
払拭体１０は筒状布体１１の全外周面にパイル１８を植設して構成され、袋部１２の中に把持体２１が内装され、筒状布体１１の左右両面にパイル１８が密植された状態になっている。ここで、ハンドル部３０を手で握って左右に掃き掃除すれば、ハンドル部３０に対し払拭体１０を矢印Ｂ方向に左右に揺動することができる。
【００４８】
図７は、本発明に係る掃き掃除型清掃具１を用いて被清掃面７０を掃き掃除する掃き掃除説明図である。掃き掃除型清掃具１のハンドル５０を手で握って左右に振りながら被清掃面７０を清掃すると、把持部２０は軸体２３を揺動軸として左右に揺動する。その結果、払拭体も左右に揺動し、パイル１８が被清掃面７０に接触して被清掃面７０を掃除することができる。右側方向へ進行しながら矢印Ｃ方向に掃き掃除することもできるし、左側方向へ進行しながら矢印Ｄ方向に掃き掃除することもできる。
【００４９】
図８は、本発明に係る掃き掃除型清掃具１を用いて被清掃面７０をハンドル５０を傾斜させて押し引き清掃する押し引き説明図である。本発明に係る掃き掃除型清掃具１を従来のモップのように押し引き清掃に使用する場合を示している。ハンドル５０を右上方へ傾斜させながら被清掃面７０に対し払拭体の片面のパイル１８を押し付け、矢印Ｅ方向に押し引き清掃することができる。この場合には、把持部２０を揺動させることは無い。
【００５０】
図９は、本発明に係る掃き掃除型清掃具１を用いて被清掃面７０をハンドル５０を反対側に傾斜させて押し引き清掃する押し引き説明図である。本発明に係る掃き掃除型清掃具１を従来のモップのように押し引き清掃に使用する場合を示している。ハンドル５０を左上方へ傾斜させながら被清掃面７０に対し払拭体の反対側の片面のパイル１８を押し付け、矢印Ｆ方向に押し引き清掃することもできる。この場合に、把持部２０を揺動させることが無いのは図８と同様である。
【００５１】
図１０は、本発明に係る掃き掃除型清掃具１において、把持部２０及び払拭体１０の各種実施例を説明する把持部説明図である。
（１０Ａ）では、１枚の把持部２０の側辺２０ａの中央部にコ字型材を打ち込んで、揺動軸となる軸体２３を形成している。（１０Ｂ）では、１枚の把持部２０の中央部に部分的な切欠部２６を形成し、軸体２３を切欠部２６の中で側辺に平行に且つ近傍に配置している。（１０Ｃ）では、前記切欠部２６を把持部２０の幅方向の全部に形成して、２枚の把持体２１、２２を間隙２５だけ離間して配置した構成である。切欠部２３が間隙２５に相当する。軸体２３を間隙２５の中で上側辺２１ａ、２２ａに平行に且つ近傍に配置し、軸体２４を間隙２５の中で下側辺２１ｂ、２２ｂに平行に且つ近傍に配置する。この場合には、軸体２３及び軸体２４のいずれも揺動軸として使用される。（１０Ｄ）では、補強用の軸体２７を軸体２３と軸体２４の間に配置したもので、軸体２３及び軸体２４のいずれも揺動軸として使用される点では、（１０Ｃ）と同様である。
（１０Ｅ）では、払拭体１０において、左右の端縁が両方とも端部開口１３として開口されており、中央開口１６は上側縁１５の中央部に開口されているが下側縁１７には開口されていない。把持部２０を袋部１２の内部に内挿する際に、左右の端縁が両方とも端部開口１３として開口されているから、払拭体１０の両端縁のどちらからでも把持部２０を挿入でき、どちらが端部開口１３かを探す必要が無く、便利である。（１０Ｆ）では、払拭体１０において、片方の端縁だけが端部開口１３として開口されており、他端縁は閉端部１４として閉鎖されている。しかし、中央開口１６は上側縁１５の中央部だけに開口されてもよいし、下側縁１７には点線で示すように中央開口１６が開口されてもされていなくてもよい。もし、中央開口１６が上側縁１５及び下側縁１７の両者に開口されていれば、軸体２３はどちらの中央開口１６に露出してもハンドル５０のクリップ部４０と主着でき、把持部２０の内挿方向を意識する必要が無い。しかし、片側縁だけに中央開口１６が開口されている場合には、把持部２０の払拭体１０への内挿方向に制限がある。しかし、端部開口１２や中央開口１６の数が多くなると、筒状袋体１１の内部に塵埃が入り込む確率が高くなり、内部に入った塵埃はなかなか除塵し難い弱点があるので、必要に応じて自在にそれらの個数設計を行う必要がある。
【００５２】
本発明の第１形態では、前記把持部の長手方向の中央部においてその側片に略平行で且つ前記側片の近傍位置に連結された軸体を配置しているから、（１０Ａ）〜（１０Ｄ）の全ての場合が包含される。
本発明の第２形態では、前記把持部の長手方向の中央部に切欠部を形成し、
前記切欠部に前記軸体を連結して配置した構造であるから、（１０Ｂ）〜（１０Ｄ）の全ての場合が包含される。間隙２５も切欠部２６の一種に過ぎない。
本発明の第３形態では、前記把持部は間隙を介して連結列車状に直列に連結された二個の長尺状の把持体から構成され、前記間隙が前記切欠部に相当し、前記二個の把持体は前記軸体により連結固定され、前記軸体が前記二個の把持体の長手方向の上側辺に平行且つ接近して配置されて前記二個の把持体が垂下される構成であるから、（１０Ｃ）〜（１０Ｄ）の場合が包含される。
本発明の第４形態では、前記二個の把持体は二本の軸体により連結固定され、前記二個の把持体の長手方向の上側辺に平行且つ接近して上側の軸体を配置し、且つ前記二個の把持体の長手方向の下側辺に平行且つ接近して下側の軸体を配置し、当該軸体を前記揺動軸として前記二個の把持体を揺動させる構成であるから、（１０Ｃ）の場合が包含される。
本発明の第５形態では、上側縁１５又は下側縁１７のいずれか片側縁だけに中央開口を有しており、且つ両端縁又は片端縁に端部開口１３を開口するから、（１０Ｅ）の場合が包含される。
本発明の第６形態では、上側縁１５及び下側縁１７の両側縁に中央開口１６を有しているから、（１０Ｆ）の内、中央開口１６を上下側縁１５、１７に形成する場合が包含される。
【産業上の利用可能性】
【００５３】
本発明に係る掃き掃除型清掃具、その把持部及び払拭体を用いることにより、把持部を揺動させながら被清掃面を箒のように掃き掃除でき、しかも従来のモップのように押し引き清掃も行える清掃具を実現したものである。本発明における掃き掃除型清掃具は構造が簡単なので、安価且つ大量に生産できる。従って、企業、病院、学校などの事業所や家庭における清掃用途において広範囲に使用することができる。
【符号の説明】
【００５４】
１            掃き掃除型清掃具
１０          払拭体
１１          筒状布体
１２          袋部
１３          端部開口
１４          閉端部
１５          上側縁
１６          中央開口
１７          下側縁
１８          パイル（払拭材）
２０          把持部
２１          左側の把持体
２１ａ        上側辺
２１ｂ        下側辺
２２          右側の把持体
２２ａ        上側辺
２２ｂ        下側辺
２３          上側の軸体（軸体）
２４          下側の軸体（軸体）
２５          間隙
２６          切欠部
２７          補強用の軸体
３０          ハンドル部
３２          回動軸
４０          クリップ部
４１          クリップ本体
４２          連結片
４３ａ        側壁
４３ｂ        後壁
４４          捩りバネ
４５          短円弧壁
４５ａ        中間間隙
４６          押板
４７          長円弧壁
４８          筒状穴
４９          クリップ摘み部
５０          ハンドル（ハンドル受部）
５１          ハンドル軸
５２          グリップ
５３          支持片
６１          親指
６２          人差し指
【図１】
2018047021.tif 000003
【図２】
2018047021.tif 000004
【図３】
2018047021.tif 000005
【図４】
2018047021.tif 000006
【図５】
2018047021.tif 000007
【図６】
2018047021.tif 000008
【図７】
2018047021.tif 000009
【図８】
2018047021.tif 000010
【図９】
2018047021.tif 000011
【図１０】
2018047021.tif 000012
【図１１】
2018047021.tif 000013
【図１２】
2018047021.tif 000014
【図１３】
2018047021.tif 000015
【図１４】
2018047021.tif 000016
【図１５】
2018047021.tif 000017